(57)【要約】      （修正有）【課題】地震などによる躯体間の揺れを効果的に吸収することができ、重荷重にも耐えることできるエキスパンションジョイント床を提供する。【解決手段】間隙４を介して隣接する躯体と躯体を接合するエキスパンションジョイント床１であって、一方の躯体２と他方の躯体３の間に斜めに配置され、スライド移動可能に支持された複数のスライドビーム５と、複数本の根太６と、複数のパンタグラフ状のリンク機構からなる中心維持機構９を備え、躯体間の間隙４の中央部に位置する根太６Ｃに中央部を支受、固着された中央床プレートと、中央床プレートの下方に位置して中央床と重なり合い互いにスライド可能な端部床プレートを配設し、パンタグラフ状のリンク機構をスライドビーム５の下方に躯体間の間隙４と直交させて竪方向に複数個所配置し、上部をスライドビーム５の中央部に枢着し且つ両端部をそれぞれ一方の躯体２および他方の躯体３に枢支してなる。【選択図】図１
2019210754.tif 000002
【特許請求の範囲】
【請求項１】
間隙を介して隣接する躯体と躯体を接合するエキスパンションジョイント床であって、一方の躯体と他方の躯体の間に斜めに配置され両端部がそれぞれ一方の躯体および他方の躯体に沿ってスライド移動可能に支持された複数のスライドビームと、該スライドビームに支受され前記間隙と並行に配置された複数本の根太と、該根太に枢着され根太と直交するよう水平に配置された複数のパンタグラフ状のリンク機構からなる中心維持機構を備え、前記躯体間の間隙の中央部に位置する根太に中央部を支受、固着された中央床プレートと、躯体間の間隙の中央部に位置する根太以外の根太に固着され中央床プレートの下方に位置して中央床と重なり合い互いにスライド可能な端部床プレートを配設し、さらに耐荷重を考慮して、中心維持機構を構成するパンタグラフ状のリンク機構をスライドビームの下方に前記躯体間の間隙と直交させて竪方向に複数個所配置し、該リンク機構の上部をスライドビームの中央部に枢着し且つ両端部をそれぞれ一方の躯体および他方の躯体に枢支してなり、地震などにより躯体が間隙を狭めるよう揺れ動いた場合には、スライドビームがスライド移動して間隙の狭まりに対応し、中心維持機構により間隙と並行に配置された根太の間隔を狭めて、中央床プレートの下方に位置する端部床プレートを間隙の中央部方向にスライドさせて揺れ動きを吸収し、躯体が間隙を広げるよう揺れ動いた場合には、スライドビームがスライド移動して間隙の広がりに対応し、中心維持機構により間隙と並行に配置された根太の間隔を広げて、中央床プレートの下方に位置する端部床プレートを間隙の端部方向にスライドさせて揺れ動きを吸収し、躯体が間隙の幅が変えることなく互いに逆方向に揺れ動いた場合には、スライドビームがスライド移動し、中心維持機構により根太の間隔を保持して、中央床プレートの下方に位置する端部床プレートを揺れ方向にスライドさせて揺れ動きを吸収するようにしたことを特徴とするエキスパンションジョイント床。
【請求項２】
前記エキスパンションジョイント床が、正面と直角隅部で連結された２つの側面からなるコの字形の免震構造物である一方の躯体と、狭小な免震クリアランスを介して隣接する前記一方の躯体の三方を囲む非免震構造物である他方の躯体を接合するエキスパンションジョイント床であることを特徴とする請求項１に記載のエキスパンションジョイント床。
【請求項３】
前記コの字形の免震構造物である一方の躯体の正面と、狭小な免震クリアランスを介して隣接する非免震構造物である他方の躯体を接合するエキスパンションジョイント床であることを特徴とする請求項２に記載のエキスパンションジョイント床。
【請求項４】
前記コの字形の免震構造物である一方の躯体がエレベータシャフトであることを特徴とする請求項２または３に記載のエキスパンションジョイント床。
【発明の詳細な説明】
【技術分野】
【０００１】
本発明は、間隙を介して隣接する２つの躯体を接合し、地震、温度変化による伸縮などで生じる外力を吸収し、両躯体の損壊を最小限に抑えるためのエキスパンションジョイント床に関する。
【背景技術】
【０００２】
間隙を介して隣接する躯体が地震などにより前後左右方向に揺れ動いても、躯体間を連絡する通路や床面に隙間が生じるのを防止して機能が維持されるようにした躯体間のエキスパンションジョイント床として、パンタグラフ状のリンク機構からなる中心維持機構を配設して、揺れに対応して中心維持機構を伸縮させて床プレートの動きを制御して揺れを吸収するようにしたエキスパンションジョイント床が提案されている。
【先行技術文献】
【特許文献】
【０００３】
【特許文献１】特許第３９７７３５０号公報
【発明の概要】
【発明が解決しようとする課題】
【０００４】
本発明は、上記提案のパンタグラフ状のリンク機構からなる中心維持機構を配設するエキスパンションジョイント床をさらに改良し、地震などによる躯体間の揺れを効果的に吸収することができ、重荷重にも耐えることできるエキスパンションジョイント床を提供することを目的とする。
【課題を解決するための手段】
【０００５】
上記の目的を達成するための請求項１によるエキスパンションジョイント床は、間隙を介して隣接する躯体と躯体を接合するエキスパンションジョイント床であって、一方の躯体と他方の躯体の間に斜めに配置され両端部がそれぞれ一方の躯体および他方の躯体に沿ってスライド移動可能に支持された複数のスライドビームと、該スライドビームに支受され前記間隙と並行に配置された複数本の根太と、該根太に枢着され根太と直交するよう水平に配置された複数のパンタグラフ状のリンク機構からなる中心維持機構を備え、前記躯体間の間隙の中央部に位置する根太に中央部を支受、固着された中央床プレートと、躯体間の間隙の中央部に位置する根太以外の根太に固着され中央床プレートの下方に位置して中央床と重なり合い互いにスライド可能な端部床プレートを配設し、さらに耐荷重を考慮して、中心維持機構を構成するパンタグラフ状のリンク機構をスライドビームの下方に前記躯体間の間隙と直交させて竪方向に複数個所配置し、該リンク機構の上部をスライドビームの中央部に枢着し且つ両端部をそれぞれ一方の躯体および他方の躯体に枢支してなり、地震などにより躯体が間隙を狭めるよう揺れ動いた場合には、スライドビームがスライド移動して間隙の狭まりに対応し、中心維持機構により間隙と並行に配置された根太の間隔を狭めて、中央床プレートの下方に位置する端部床プレートを間隙の中央部方向にスライドさせて揺れ動きを吸収し、躯体が間隙を広げるよう揺れ動いた場合には、スライドビームがスライド移動して間隙の広がりに対応し、中心維持機構により間隙と並行に配置された根太の間隔を広げて、中央床プレートの下方に位置する端部床プレートを間隙の端部方向にスライドさせて揺れ動きを吸収し、躯体が間隙の幅が変えることなく互いに逆方向に揺れ動いた場合には、スライドビームがスライド移動し、中心維持機構により根太の間隔を保持して、中央床プレートの下方に位置する端部床プレートを揺れ方向にスライドさせて揺れ動きを吸収するようにしたことを特徴とする。
【０００６】
請求項２によるエキスパンションジョイント床は、請求項１において、正面と直角隅部で連結された２つの側面からなるコの字形の免震構造物である一方の躯体と、狭小な免震クリアランスを介して隣接する前記一方の躯体の三方を囲む非免震構造物である他方の躯体を接合するエキスパンションジョイント床であることを特徴とする。
【０００７】
請求項３によるエキスパンションジョイント床は、請求項２において、前記コの字形の免震構造物である一方の躯体の正面と、狭小な免震クリアランスを介して隣接する非免震構造物である他方の躯体を接合するエキスパンションジョイント床であることを特徴とする。
【０００８】
請求項４によるエキスパンションジョイント床は、請求項２または３において、前記コの字形の免震構造物である一方の躯体がエレベータシャフトであることを特徴とする。
【発明の効果】
【０００９】
本発明のエキスパンションジョイント床によれば、間隙を介して隣接する躯体が地震などにより前後左右方向に揺れ動いても、躯体間を連絡する通路や床面に隙間が生じるのを確実に防止することができる。
【００１０】
本発明によるエキスパンションジョイント床は、正面と直角隅部で連結された２つの側面からなるコの字形の免震構造物である一方の躯体と、狭小な免震クリアランスを介して隣接する前記一方の躯体の三方を囲む非免震構造物である他方の躯体を接合するエキスパンションジョイント床、例えば、エレベータシャフト周りのエキスパンションジョイント床として好適に使用され、地震時などに大勢の人がエレベータを利用して通過する際の床面への重荷重にも耐えることができる。
【図面の簡単な説明】
【００１１】
【図１】本発明のエキスパンションジョイント床をエレベータシャフト周りのエキスパンションジョイント床に適用した場合の平面図である。
【図２】図１のアーア断面図である。
【図３】図１のイーイ断面図である。
【図４】根太とパンタグラフ状のリンク機構からなる中心維持機構との結合状態を示す一部斜視図である。
【図５】図３の要部を示す断面図である。
【図６】図１のウーウ断面図である。
【図７】地震により躯体間に生じる揺れによる本発明のエキスパンションジョイント床の変形形態を示す平面図である。
【発明を実施するための形態】
【００１２】
以下、図面により本発明に係るエキスパンションジョイント床について説明する。図１〜７は、本発明のエキスパンションジョイント床をエレベータシャフトおよび階段周りのエキスパンションジョイント床に適用した場合を説明するものである。図において、ＥＬＶ１、ＥＬＶ２はエレベータを示す。このように、本発明によるエキスパンションジョイント床は、正面と直角隅部で連結された２つの側面からなるコの字形の免震構造物である一方の躯体と、可動量内でその躯体内法に伸縮式エキスパンションジョイント床材を設置しなければならないような狭小な免震クリアランス、実際には例えば幅が１５００ｍｍ以下のような狭小な免震クリアランスを介して隣接する一方の躯体の三方を囲む非免震構造物である他方の躯体を接合するエキスパンションジョイント床として最も好適に使用することができる。
【００１３】
図１に示すように、本発明に係るエキスパンションジョイント床１は、間隙（免震クリアランス）４を介して隣接する一方の躯体２と他方の躯体３を接合するエキスパンションジョイント床１であって、一方の躯体２と他方の躯体３の間に斜めに配置され両端部がそれぞれ一方の躯体２および他方の躯体３に沿ってスライド移動可能に支持された複数のスライドビーム（斜材）５と、スライドビーム５に支受され躯体間の間隙４と並行して水平に配置された複数本の根太６と、根太６に枢着され根太６と直交するよう配置された複数のパンタグラフ状のリンク機構からなる中心維持機構９を備えている。
【００１４】
図２に示すように、一方の躯体２と他方の躯体３の間に斜めに配置されたスライドビーム５は両端部９Ａ、９Ｂがそれぞれ一方の躯体２および他方の躯体３に沿ってスライド移動可能となるように、ホルダー１０のガイドレール１１にベアリングキャスター１２を介して取り付けられている。
【００１５】
スライドビーム５に支受され躯体間の間隙４と並行に配置された複数本の根太６は、図４に示すように、上部根太７と下部根太８からなり、上部根太７と下部根太８の間にパンタグラフ状のリンク機構からなる中心維持機構９が根太６と直交するよう根太６にボタンボルト１３により軸着されている。
【００１６】
特に図５に見られるように、躯体間の間隙４の中央部に位置する根太６Ｃ（図１参照）に嵩上げ材１４を介して中央床プレート１５の中央部が支受、固着され、躯体間の間隙４の中央部に位置する根太６Ｃ以外の根太６に、中央床プレート１５の下方に位置して中央床プレート１５と重なり合い互いにスライド可能な端部床プレート１６が固着されている。中央床プレート１５および端部床プレート１６はステンレス鋼板などの鋼板から成形され、中央床プレート１５および端部床プレート１６の上には、タイルカーペットなどからなる仕上げ材１７が敷設され、仕上げ材１７の重なり部には見切り材１８が取り付けられる。
【００１７】
さらに、躯体間の間隙４の複数個所に、躯体間の間隙４と直交させて中心維持機構９を構成するパンタグラフ状のリンク機構をスライドビーム５の下方に竪方向に配設して竪材１９を形成し、荷重に耐えられる構造とする。パンタグラフ状のリンク機構からなる竪材１９は、その上部をスライドビーム５の中央部にセンターピン２０とセンターピン受け材との組み合わせにより枢着し且つその両端部をそれぞれ一方の躯体２および他方の躯体３に丁番（ヒンジ）１９Ａを介してアングル材２１に枢着する。
【００１８】
図１〜５に示すエレベータシャフトおよび階段周りのエキスパンションジョイント床において、地震発生時などに避難者が殺到するエレベータ正面の間隙（免震クリアランス）４には、前記のように、間隙４と直交させて複数個所に竪材１９を配設して重荷重に耐えるよう構成したが、エレベータ側面の通路（躯体間の間隙４）には図６に示すように竪材１９を配置しなくてもよい。通常、地震などの緊急事態が生じた場合、エレベータ正面にはエレベータの利用者が殺到し、エレベータ正面の通路は重荷重を受けるから重荷重に耐える構造としておくことが重要であるが、エレベータ側面の通路は人で混み合うことがなくエレベータ正面の通路と比べて重荷重を受けないから、竪材１９の設置は必ずしも必要でない。なお、図において、２２は耐火帯を示す。
【００１９】
地震などのより躯体２、３間に揺れが生じた場合における本発明のエキスパンションジョイント床の変形形態を示すと、図7に示すように、地震などにより躯体が間隙を狭めるよう揺れ動いた場合（図７（Ａ））には、スライドビーム５がスライド移動して間隙４の狭まりに対応し、中心維持機構９により間隙４と並行に配置された根太６の間隔を狭めて、中央床プレート１５の下方に位置する端部床プレート１６を間隙４の中央部方向にスライドさせて揺れ動きを吸収することができる。
【００２０】
躯体２、３が間隙４を広げるよう揺れ動いた場合（図７（Ｂ））には、スライドビーム５がスライド移動して間隙４の広がりに対応し、中心維持機構９により間隙４と並行に配置された根太６の間隔を広げて、中央床プレート１５の下方に位置する端部床プレート１６を間隙４の端部方向にスライドさせて揺れ動きを吸収することができる。
【００２１】
躯体２、３が間隙４の幅が変えることなく互いに逆方向に揺れ動いた場合（図７（Ｃ）には、スライドビーム５がスライド移動し、中心維持機構９により根太６の間隔を保持して、中央床プレート１５の下方に位置する端部床プレート１６を揺れ方向にスライドさせて揺れ動きを吸収する。躯体２、３が斜め方向に揺れ動いた場合にも同様にして揺れ動きを吸収することができ、いずれの場合にも躯体間を連絡する通路や床面に隙間が生じることはない。
【符号の説明】
【００２２】
１    エキスパンションジョイント床
２    一方の躯体
３    他方の躯体
４    躯体間の間隙（免震クリアランス）
５    スライドビーム（斜材）
６    根太
６Ｃ  間隙４の中央部に位置する根太
７    上部根太  
８    下部根太
９    水平に配置されたパンタグラフ状のリンク機構からなる中心維持機構
９Ａ  中心維持機構の端部
９Ｂ  中心維持機構の端部
１０    躯体２、３に取り付けたホルダー
１１    ガイドレール
１２    ベアリングキャスター
１３    ボタンボルト
１４    嵩上げ材
１５    中央床プレート
１６    端部床プレート
１７    タイルカーペット
１８    見切り材
１９    パンタグラフ状のリンク機構からなる竪材
１９Ａ  丁番（ヒンジ）
２０    センターピンとセンターピン受け材との組み合わせ
２１    アングル材
２２    耐火帯
【図１】
2019210754.tif 000003
【図２】
2019210754.tif 000004
【図３】
2019210754.tif 000005
【図４】
2019210754.tif 000006
【図５】
2019210754.tif 000007
【図６】
2019210754.tif 000008
【図７】
2019210754.tif 000009